(57)【要約】【課題】簡易操作によって、折り畳み、移動、収納に便利な折畳式パソコン用デスクの提供。【解決手段】折畳式パソコン用デスク３は、両左右対称の折畳フレーム構造を有し、各折畳フレーム体にはデスク面を固定するデスク面支持フレーム３２、その前後両端にはそれぞれ前、後デスク脚３２、３３が設置される。デスク面支持フレームの後末端を背面フレーム３４の下端に枢設し、背面フレーム下末端を後デスク脚３３上部で支える。また、前、後連結部品３５、３９の一端を背面フレーム下末端に連結し、後連結部品の他端を後デスク脚上に枢設し、前連結部品３９の他端を前デスク脚上に枢設する。両側のデスク面支持フレーム及び背面フレーム桿の間に連桿３６，３７を固定し、両側折畳フレーム体を一体に結合する。折り畳む時は、デスク面支持フレーム前端を上に上げると、デスク面支持フレームは上向きスライドして前デスク脚、背面フレームが重なる。【選択図】　　　　図２
0003097464.tif 000002
【実用新案登録請求の範囲】
【請求項１】
主に両左右対称の折畳フレーム体から構成された折畳式パソコン用デスクにおいて、
各折畳フレーム体はデスク面を固定するデスク面支持フレームを含み、デスク面支持フレーム近く前後両端箇所にはそれぞれ前後デスク脚が枢設され、デスク面支持フレーム後末端を背面フレーム下端で枢設し、また背面フレーム下末端は後デスク脚上部で支え、更に前後連結部品の一端は同時に背面フレーム下末端で連結するもので、そのうち、後連結部品の他端は後デスク脚上部で枢設し、前連結部品の他端は前デスク脚上部で枢設され、そして両側デスク面支持フレーム及び背面フレームの間は連桿を固定することによって折畳フレーム体は一体に結合され、折畳構造が形成されることを特徴とする折畳式パソコン用デスク。
【請求項２】
前記背面フレームは、上向きに延びた末端箇所に設置された連桿には、回動可能に上置物板が枢設され、上置物板と背面フレームの間には半折りの二本の屈曲アーム部材が設置されてなることを特徴とする請求項１記載の折畳式パソコン用デスク。
【請求項３】
前記前後デスク脚の間に設置された二組の屈曲アーム部材は、一組の屈曲アーム部材の間に少なくとも二本の連桿が設置されて連結し、その連桿上には下置物板が固定されることを特徴とする請求項１記載の折畳式パソコン用デスク。
【請求項４】
前記二本の屈曲アーム部材は、両端を連結して枢設され、そのうちの一組の屈曲アーム部材末端箇所にはストッパーが形成され、それに対応する別の屈曲アーム部材上にはストッパーが嵌入される欠切口が成形され、二本の屈曲アーム部材の外側端は背面フレームと上置物板に固定されるか、もしくは前後デスク脚の間に固定されることを特徴とする請求項２もしくは３記載の折畳式パソコン用デスク。
【考案の詳細な説明】
【０００１】
【考案の属する技術分野】
本考案は、折畳式のパソコン用デスクに関するもので、簡易操作によって、スピーディーに折り畳み、移動、収納にも便利なものである。
【０００２】
【従来の技術】
一般のパソコン用デスクは、種類も多いが、ほとんどは消費者が自分で組み立てる構造になっている。この種のパソコン用デスクは、デスク全体が左右のフレームに分かれ、両側フレームの複数の連桿を連結するようになっている。そしてデスク板及び置物板等を組み立てる。更に組立の方法はすべてネジで各部品を連結して行う。
【０００３】
【考案が解決しようとする課題】
しかしながら、この種のパソコン用デスクは、消費者が組み立てる場合、業者のように熟練によって素早く組み立てられるものではなく、また部分部品はひどく重い。更に大部分の組立説明書は詳細でない。また、組立後に狭い空間から別の場所に移動する場合、通り道が狭くて通過できない時にはそれらを解体しなければならない。そして、再び組み立てなければならないというのは、非常に実用的でない。また、使用しないときにも同様にパソコン用デスクを解体し、収納する。解体した部品は種類も多く、収納時にも不便である。
【０００４】
【課題を解決するための手段】
上記課題を解決するため、本考案の折畳式パソコン用デスクは、両左右対称の折畳フレームを指し、各折畳フレーム体にはデスク面を固定するデスク面支持フレームが含まれ、更にデスク面支持フレーム近くの前後両端箇所にはそれぞれ前、後デスク脚が設置される。そしてデスク面支持フレームの後末端箇所を背面フレームの下端に枢設し、背面フレーム下末端を後デスク脚上部で支える。また前後連結部品の一端は背面フレーム下末端に連結する。そのうち、後連結部品のもう一端は、後デスク脚上に枢設し、前連結部品のもう一端は前デスク脚上に枢設する。そして最後に両側のデスク面支持フレーム及び背面フレーム桿に連桿を固定し、両側折畳フレーム体がひとつに結合する。折り畳む時には後デスク脚を地面に倒し、デスク面支持フレーム前端を上に上げると、デスク面支持フレームは上向きに立ち、前デスク脚、背面フレームが合わさることを特徴とするものである。
【０００５】
【考案実施の形態】
以下、本考案折畳式パソコン用デスクの実施例を図面に基づいて説明する。
先ず、図１、２及び３が示すように、本考案は、主にデスクフレーム３上に固定するデスク面２、デスクフレーム上部、下部にそれぞれ固定する上下置物板１，４及びデスク面２の下に位置するキーボード板５から構成される。そのうち、
【０００６】
デスクフレーム３は、主に左右両方が相対する折畳フレーム体で、各折畳フレーム体はデスク面２を固定するデスク面支持フレーム３１を含み、また前デスク脚３２上端の円弧形部末端箇所はデスク面支持フレーム３１前端外側上で枢設される。更に後デスク脚３３の上端末はデスク面支持フレームの後端外側箇所で枢設される。同時にデスク面支持フレーム３１の後端は、上向き円弧形状を形成して、その末端は背面フレーム３４下端箇所に枢設される。更に背面フレーム３４下端もまた円弧形状を構成してその末端は後デスク脚３３の背面で支える。他に前後連結部品３５，３９が設けられて前後連結部品の一端は同時に背面フレーム３４の下末端に枢設して固定され、また、前連結部品３９の他端は、前デスク脚３２を固定し、後連結部品３５のもう一方の端は、後デスク脚３３上に枢設して固定する。
次に左右両側に配置されたデスク面支持フレーム３１と背面フレーム３４上端の左右間を連桿３６，３７で連結し、両側折畳フレーム体の組立が完成する。この他、デスク面支持フレーム上方の連桿３７は背面フレーム上に固定され、上置物板１下面に固定されたＵ字型支持部材３７１を回動可能に支持して上置物板１をその廻りに回動可能に支持する。
更に上置物板１の前端底面両側にはそれぞれタブ３７２が設置される。そしてタブ３７２及び背面フレーム３４上には、屈曲アーム部材３７３，３７４が枢設され、屈曲アーム部材３７３、３７４の残る両端を回動可能に枢着する。また屈曲アーム部材３７４末端にはストッパー３７４ａが設けら、屈曲アーム部材３７３の対応箇所には欠切口３７３ａが成形され、屈曲アーム部材が伸張された状態で固定されるようにする。前後デスク脚３２，３３の間にも対応する屈曲アーム部材３８１，３８２が設置される。両側屈曲アーム部材３８１間には少なくとも二本の連桿３８３がその間を連結し、置物板４がこの二本の連桿３８３上で固定される。
【０００７】
図４，５に示すとおり、開いた状態のパソコン用デスクを折り畳む時、先ず上方の屈曲アーム部材３７３，３７４を下へ折り曲げると、上置物板１は回動して背面フレーム３４上に合わさる。そして後デスク脚３３を地面に立たせ、デスク面２前端を上に向かって持ち上げ、前デスク脚３２を少し後に押すと、前後連結部品３５、３９の支持連動機構によって、デスク面２が上に立ち上がり、前デスク脚３２、背面フレーム３４が合わさって重ねられる。同時に下置物板４は屈曲アーム部材３８１，３８２を折り曲げ、両側の後デスク脚３３の間に収納する。これによって、パソコン用デスク全体は簡単な操作によって、即座に折り畳まれ、開く時も同じである。そのため、業者にとっては荷積みする時、体積も小さくなり、消費者にとって、組み立てる必要がないだけでなく、いつでも開いて使用したり、畳んで運んだり、収納したりできる。
【０００８】
次に図６，７に示すとおり、デスク面２’後方に開口を設置し、二本のデスク面支持フレームの間に連桿３０を一本増やす。デスク面２’後方の開口箇所に後板６を設置し、後板６底面はＵ字型支持部材３０１によって連桿３０上に固定する。そして後板６後端底面には上向きに延びた後支持フレーム６１が固定され、パソコンモニターを下へ下げた位置で、後板６上に置く。
【０００９】
【考案の効果】
以上説明したように、本考案の折畳式パソコン用デスクは、両左右対称の折畳フレームを有し、各折畳フレーム体にはデスク面を固定するデスク面支持フレームが含まれ、更にデスク面支持フレーム近くの前後両端箇所にはそれぞれ前、後デスク脚が設置される。そしてデスク面支持フレームの後末端箇所を背面フレームの下端に枢設し、背面フレーム下末端を後デスク脚上部で支える。また前後連結部品の一端は背面フレーム下末端に連結する。そのうち、後連結部品のもう一端は、後デスク脚上に枢設し、前連結部品のもう一端は前デスク脚上に枢設する。そして最後に両側のデスク面支持フレーム及び背面フレーム桿に連桿を固定し、両側折畳フレーム体がひとつに結合する。折り畳む時には後デスク脚を地面に倒し、デスク面支持フレーム前端を上に上げると、デスク面支持フレームは上向きに立ち、前デスク脚、背面フレームが合わさるという特徴をもつ。それにより、簡易操作によって、スピーディーに折り畳み、移動、収納にも効果的である。
【図面の簡単な説明】
【図１】本考案の外観立体指示図である。
【図２】本考案のデスクフレーム立体指示図である。
【図３】本考案の側面図である。
【図４】本考案の折畳動作中の指示図である。
【図５】本考案の折畳完了後の指示図である。
【図６】本考案の別実施例の立体指示図である。
【図７】本考案の別実施例の側面図である。
【符号の説明】
１　上置物板
２　デスク面
３　デスクフレーム
３０　連桿
３０１　Ｕ字型支持部材
３１　デスク面支持フレーム
３２　前デスク脚
３３　後デスク脚
３４　背面フレーム
３５　後連結部品
３６　連桿
３７　連桿
３７１　Ｕ字型支持部材
３７２　タブ
３７３　屈曲アーム部材
３７３ａ　　欠切口
３７４　屈曲アーム部材
３７４ａ　　欠切口
３８１　屈曲アーム部材
３８２　屈曲アーム部材
３８３　連桿
３９　前連結部品
４　下置物板
５　キーボード板
６　後板
６１　後支持フレーム
【図１】
0003097464.tif 000003
【図２】
0003097464.tif 000004
【図３】
0003097464.tif 000005
【図４】
0003097464.tif 000006
【図５】
0003097464.tif 000007
【図６】
0003097464.tif 000008
【図７】
0003097464.tif 000009